(57)【特許請求の範囲】
【請求項１】
景品を吊り上げる天井走行クレーンに設けられる景品吊上装置（3、4）が、
開閉爪装置（34、43）と、
天井を水平二軸方向に走行し得るキャリッジ（21、22）から開閉爪装置（34、43）を懸垂するため設けられる二路のコンベックスベルト（32、33、42）と、
コンベックスベルト（32、33、42）を巻き上げ及び巻き戻して開閉爪装置（34、44）を昇降させるベルト巻取装置（30、40）と、
ベルト巻取装置（30、40）を回転駆動する装置（31、41）と、
から成るクレーンゲーム機（1）。
【請求項２】
ベルト巻取装置（30、40）が、キャリッジ（21、22）に設けられる請求項1に記載のクレーンゲーム機（1）。
【請求項３】
ベルト巻取装置（30、40）が、開閉爪装置（34、43）に設けられる請求項1に記載のクレーンゲーム磯。
【請求項４】
二路のコンベックスベルトが、二本のコンベックスベルト（32、33）から成り、両コンベックスベルト（32、33）がベルト巻取装置（30）によって同時に、かつ、同速度で巻き上げ及び巻き戻される請求項1ないし3のいずれか一に記載のクレーンゲーム機（1）。
【請求項５】
二路のコンベックスベルトが、プーリー（430）により折返される一本のコンベックスベルト（42）から成る請求項1ないし3のいずれか一に記載のクレーンゲーム機。
【発明の詳細な説明】
【０００１】
【発明の属する技術分野】
本発明は、クレーンゲーム機、特に、極めて構成が単純で安価に提供できる景品吊上装置を具備するクレーンゲーム機に関する。
【０００２】
【従来の技術】
従来公知のクレーンゲーム機の景品吊上装置は、開閉爪装置を単にワイヤで吊り下げるだけのものであったため、開閉爪装置が下降して景品に触れたとき、それが揺動し、そのためプレーヤーの思い通りの景品がつかめなくなるという問題があった。
この問題を解決するため、例えば、実公平７−１３７５６号に開示された景品吊上装置がある。
【０００３】
この景品吊上装置は、開閉爪装置を入れ子式の伸縮パイプを介して吊り下げるものであるが、このような伸縮パイプは、直径の異なる数種類のパイプを組み合わせるものであるため、高精度にパイプを製造しなければならず、また、伸縮パイプ自体の重量も大きくなるので、伸縮に高出力の動力を使用しなければならず、製造コストと消費電力コストが嵩むという問題があった。
【０００４】
また、外パイプの内部で内パイプがスライドするものなので、両者の間に潤滑油を差す必要があり、さらに、内筒の外面に付着している潤滑油に埃が堆積すると外見が極めて悪くなるので、潤滑油を差すときなどに内パイプの外面を清掃する必要がある。
【０００５】
このため、この種の景品吊上装置においては、定期的なメンテナンスが必要であり、運用コストが嵩むという問題があった。
また、このようなメンテナンスを怠ると、内パイプの外面に多数の傷が付いて外見が悪くなり、さらには、滑らかに伸縮しなくなり、修理が必要となるという問題があった。
さらに、伸縮パイプは、輸送や景品の入替時のちょっとした衝撃でも変形し、円滑に伸縮しなくなるという問題があった。
【０００６】
【発明が解決しようとする課題】
本発明は上記の問題を解決するためなされたものであり、その目的とするところは、極めて構成が単純で故障し難く、低コストで提供できる景品吊上装置を具備するクレーンゲーム機を提供することにある。
【０００７】
【課題を解決するための手段】
上記の目的は、天井を水平二軸方向に走行し得るキャリッジから開閉爪装置を吊り下げる際、往復二路又は互いに別異に設けられた二路のコンベックスベルトで懸垂すると共に、そのコンベックスベルトを巻き上げ及び巻き戻し得るベルト巻取装置を設け、これによりこと開閉爪装置を昇降させるようにしたクレーンゲーム機によって達成される。
【０００８】
【発明の実施の形態】
以下、図面により本発明の詳細を説明する。
図１は本発明に係るクレーンゲーム機の第一実施例を示す正面図、図２は図１に示した景品吊上装置の構成を示す部分破断正面図、図３は図２にＡ−Ａ線断面図、図４は本発明に係るクレーンゲーム機の第二実施例の景品吊上装置の構成を示す部分破断正面図である。
まず、図１について説明する。
図中、１はクレーンゲーム機、２は水平移動装置、３は景品吊上装置である。
【０００９】
このクレーンゲーム機１は、上半分にゲーム領域を具備し、正面の操作パネル１０上のボタンを操作してゲーム領域に置かれている景品を吊り上げてプレイするものである。
水平移動装置２は、図２に示したＹ軸レール２０及びキャリッジ２１と、図示されていないＸ軸レール及び駆動機構とから成る。
【００１０】
図示されていないＸ軸レールは、ゲーム領域の上部の前部及び後部にそれぞれ左右方向に水平に固定されている。
Ｙ軸レール２０は、上記Ｘ軸レールに直角に配される二本の平行な円管であって、Ｘ軸レールに沿って平行移動自在に支持され、図示しない駆動装置によって移動せしめられる。
キャリッジ２１は箱状であり、二本のＹ軸レール２０に沿って移動自在に設けられ、図示しない駆動装置によって移動せしめられる。
【００１１】
景品吊上装置３は、ベルト巻取装置３０と、駆動装置３１と、二本のコンベックスベルト３２、３３と、開閉爪装置３４とから成る。
ベルト巻取装置３０はキャリッジ２１内部に設けられ、一対の歯車３０１、３０２と、一対のベルト巻取リール３０３、３０４とから成る。
歯車３０１、３０２は同形同大のものであり、図示しない支持具により回転自在に支持され、互いに噛み合って反対方向に回転する。
【００１２】
ベルト巻取リール３０３、３０４は、それぞれ歯車３０１、３０２と同軸に取り付けられている。
駆動装置３１は、モーター３１０とその出力軸の回転を一方の歯車３０１に伝達する駆動ベルト３１１とから成り、ベルト巻取ドラム３０を正方向及び逆方向に回転駆動し、ベルト巻取リール３０３、３０４を巻き上げ及び巻き戻すことによって後述の開閉爪装置４を昇降制御する。
【００１３】
コンベックスベルト３２、３３は、それぞれ断面円弧状に成形されたスチール製の帯状部材であり、一定の曲げ強度を有し、撓み難く、常時は一直線状となっているものである。
このコンベックスベルト３２、３３は、それぞれベルト巻取リール３０３、３０４に巻かれており、図３に示したように、キャリッジ２１の下面に設けた円弧状の孔２１ａを通って平行に垂下し、その下端に開閉爪装置４を支持する。
【００１４】
従って、駆動装置３１が作動すると、ベルト巻取リール３０３、３０４が同時に、かつ、同速度で逆方向に回転し、コンベックスベルト３２、３３が巻き上げ又は巻き戻され、これにより開閉爪装置３４が昇降せしめられる。
このコンベックスベルト３２、３３は互いに補強しあって、開閉爪装置４が景品に触れたとき、その揺動を最小限に食い止めるものである。
【００１５】
次に、本発明に係るクレーンゲーム機の第二実施例について説明する。
このクレーンゲーム装置は、景品吊上装置4以外の構成は第一実施例のものと共通であるので、共通部分に関する説明は省略する。
景品吊上装置4は、キャリッジ22と、ベルト巻取ドラム40と、その回転駆動装置41と、コンベックスベルト42と、開閉爪装置43とから成る。
【００１６】
ベルト巻取ドラム40はキャリッジ22の内部に回動自在に設けられ、コンベックスベルト42を巻き上げ及び巻き戻すものである。
駆動装置41は、モーター410の出力を駆動ベルト42を介してベルト巻取ドラム40に伝達し、後述の開閉爪装置43を昇降制御する。
開閉爪装置43は、その上側に回転自在に支持され、かつ、上方からコンベックスベルト42が巻き掛けられるプーリー430を有する。
【００１７】
コンペックスベルト42は、一方の端部がベルト巻取ドラム40に巻き込まれて係止され、開閉爪装置43のプーリー430を経由してU字状に折返され、他の一方の端部は、キャリッジ22の下面に固定される。
このクレーンゲーム機において、開閉爪装置43は動滑車によって支持されて    いるのでこの実施例においては、第一実施例のものに比して略半分の出力で開閉爪装置43を昇降制卸できるものである。
【００１８】
而して、本発明の要旨は、往復二路又は複線二路のコンベックスベルトによって一定の剛性をもって開閉爪装置を懸垂することにあり、これにより景品吊上用の開閉爪装置が景品に触れたときでも揺れたり傾いたりしないようにするものである。
【００１９】
従って、本発明は叙上の実施例に限定されるものではない。例えば、ベルト巻取ドラムは開閉爪装置側に設けてもよく、また、その場合にはキャリッジにプーリーを設け、コンベックスベルトを開閉爪装置から引き出して巻き掛け、開閉爪装置側に折り返すようにしてもよく、又、上記の実施例では二路のコンベックスベルトを平行としたが、これは必ずしも平行としなくとも良く、更に使用するプーリーとしては公知の種々な複合プーリー装置を採用できるものであり、更にまた、キャリッジ及び開閉爪装置の両方にプーリーを設け、コンベックスベルトが略Ｓ字状になるよう両プーリーに巻き掛けて開閉爪装置を懸垂するようにしてもよく、更に又、キャリッジを始めとして、ゲーム機本体や景品吊上装置を構成する部材の形状、配置、数等は本発明の範囲内で適宜に変更できるものであり、本発明は上記の説明から当業者が容易に想到し得る全ての変更実施例を包摂するものである。
【００２０】
【発明の効果】
本発明に係るクレーンゲーム機は叙上の如く構成されるので、本発明によるときは、景品吊上装置に高価で故障し易い伸縮パイプを使用せずに済み、製造コスト及び運用コストを低く抑えることができる。
【図面の簡単な説明】
【図１】本発明に係るクレーンゲーム機の第一実施例を示す正面図である。
【図２】図１に示した景品吊上装置の構成を示す部分破断正面図である。
【図３】図２にＡ−Ａ線断面図である。
【図４】本発明に係るクレーンゲーム機の第二実施例の景品吊上装置の構成を示す部分破断正面図である。
【符号の説明】
1・・・・・・クレーンゲーム機
10 ・・・・・操作パネル
2・・・・・・水平移動装置
20 ・・・・・Y軸レール
21 ・・・・・キャリッジ
21a・・・・・孔
22 ・・・・・キャリッジ
3・・・・・・景品吊上装置
30 ・・・・・ベルト巻取装置
301・・・・・歯車
302・・・・・歯車
303・・・・・ベルト巻取ドラム
304・・・・・ベルト巻取ドラム
31 ・・・・・駆動装置
32 ・・・・・コンベックスベルト
33 ・・・・・コンベックスベルト
34 ・・・・・開閉爪装置
4・・・・・・昇降装置
40 ・・・・・ベルト巻取ドラム
41 ・・・・・駆動装置
42 ・・・・・コンベックスベルト
43 ・・・・・開閉爪装置
430・・・・・プーリー
【図１】
0003571141.tif 000002
【図２】
0003571141.tif 000003
【図３】
0003571141.tif 000004
【図４】
0003571141.tif 000005